(57)【要約】【課題】グレーチング蓋を集水桝や排水溝の受枠に固定するボルトの軸部および頭部周辺にゴミ等の山積を回避して、グレーチング蓋の管理をし易くする。【解決手段】ボルトに介在させて使用するグレーチング蓋固定用スペーサ１００である。スペーサは、円筒状の下部台座１１２と、上部台座１１４と、天板１１６とが順次に一体的に積み重なって結合している。天板の第１開口１１６ａと、上部台座の第２開口１１４ａａと、下部台座の円筒状空間１１２ａとにボルトを通して、ベースプレート２４と受枠３０とを固定する。ボルト頭部４０ａを、上部台座の第２開口の外周面で受けて、ボルトの頭部をベースプレートの上面２４ａから当該外周面にまで引き上げる。天板の頂面１１６ｃ、ボルト頭部の頂面は、グレーチング蓋の表面２２ａと同一レベルにある。【選択図】図２ 
2006009326.tif 000002
【特許請求の範囲】
【請求項１】
グレーチングとベースプレートとを具えるグレーチング蓋を受枠にボルトで固定するために使用するスペーサであって、
円筒状の下部台座と、Ｕ字状に成形してなる上部台座と、中心に第１開口が形成されている矩形の天板とを具えており、
前記上部台座は、該第１開口よりも大きさが小さくかつ前記下部台座の内径よりも小さい第２開口が、前記第１開口および前記下部台座と中心軸を一致させて、形成されている矩形状の底部と、該底部の対向する両側部からそれぞれ個別に突出している、同一高さの、２つの矩形状の脚部とを具えており、
前記上部台座は、さらに、該底部の、前記第２開口の外周囲の下面で前記下部台座の一方の端面と結合されており、および
前記天板は、その下面が、前記脚部の端面に結合している
ことを特徴とするグレーチング蓋固定用スペーサ。
【請求項２】
請求項１に記載のスペーサにおいて、前記第１および第２開口は、それぞれ、円形の貫通孔であり、該第２貫通孔の直径は、前記ボルトの軸部の外径より大きく、前記第１貫通孔の内径は、前記ボルトの頭部の外径よりも大きく、および該ボルトの頭部と前記第１貫通孔の内壁面との間隔は、ボルトの取り付けおよび取り外し作業を可能とする最小限の広さに設定してあることを特徴とするグレーチング蓋固定用スペーサ。
【請求項３】
請求項１または２に記載のスペーサにおいて、該スペーサの前記下部台座の他方の端面から前記天板の頂面までの高さは、前記ベースプレートの、前記下部台座の他方の端面が当接する上面から前記グレーチング蓋の上面までの距離に設定してあることを特徴とするグレーチング蓋固定用スペーサ。
【請求項４】
グレーチングとベースプレートとを具えるグレーチング蓋を受枠にボルトで固定するために使用するスペーサであって、
Ｕ字状に成形してなる下部台座と、互いに平行な板状体からなる上部台座と、中心に第１開口が形成されている矩形の天板とを具えており、
前記下部台座は、該第１開口よりも大きさが小さくかつ前記上部台座の板状体間の間隔よりも小さい第２開口が形成されている、矩形状の底部と、該底部の対向する両側部からそれぞれ個別に突出している、同一高さの、２つの矩形状の脚部とを具えていて、該底部の、前記第２開口の外周囲の下面で前記板状体の一方の端面と結合されており、および
前記天板は、その下面側が、前記板状体の他方の端面に結合している
ことを特徴とするグレーチング蓋固定用スペーサ。
【請求項５】
グレーチングとベースプレートとを具えるグレーチング蓋を受枠にボルトで固定するために使用するスペーサであって、
Ｕ字状に成形してなる下部台座と、Ｕ字状に成形してなる上部台座と、中心に第１開口が形成されている矩形の天板とを具えており、
前記上部台座は、該第１開口よりも大きさが小さい第２開口が、前記第１開口と中心軸を一致させて、形成されている矩形状の第１底部と、該第１底部の対向する両側部からそれぞれ個別に突出している、同一高さの、２つの矩形状の第１脚部とを具えており、
前記下部台座は、該第１開口よりも大きさが小さくかつ該第２開口と大きさが同一かそれより大きい第３開口が、前記第１および第２開口と中心軸を一致させて、形成されている矩形状の第２底部と、該第２底部の対向する両側部からそれぞれ個別に突出している、同一高さの、２つの矩形状の第２脚部とを具えており、
前記上部台座及び下部台座は、前記第１及び第２底部を背中合わせに結合されており、および
前記天板は、その下面側が、前記上部台座の前記第１脚部の端面に結合している
ことを特徴とするグレーチング蓋固定用スペーサ。
【請求項６】
グレーチングとベースプレートとを具えるグレーチング蓋を受枠にボルトで固定するために使用するスペーサであって、
Ｕ字状に成形してなる下部台座と、円筒状の上部台座とを具えており、
前記下部台座は、該上部台座の内径よりも大きさが小さい第１開口が、前記上部台座と中心軸を一致させて、形成されている矩形状の底部と、該底部の対向する両側部からそれぞれ個別に突出している、同一高さの、２つの矩形状の脚部とを具えていて、該底部の、前記第１開口の外周囲の下面で前記上部台座の一方の端面と結合されている
ことを特徴とするグレーチング蓋固定用スペーサ。
【発明の詳細な説明】
【技術分野】
【０００１】
この発明は、排水を行う集水桝や排水溝等の受枠にボルトを用いてグレーチング蓋を取り付け固定するために使用するスペーサに関する。
【背景技術】
【０００２】
集水桝や排水溝等の排水用構築物は、道路や、広場や、その他種々の排水を必要とする箇所に設けられている。排水用構築物には、雨水などの排水を取り込む構造を有するグレーチング蓋が取り付け固定されている。このグレーチング蓋は、平面形状が矩形であり、格子状或いは網目状などといったグレーチングを具え、蓋周辺部にはグレーチングを下側から支持し、しかも、グレーチング蓋をボルトで受枠に固定するためのベースプレートが設けられている。
【０００３】
このグレーチング蓋を集水桝や排水溝に固定するために、従来の多くは、ボルトでベースプレートと受枠とを直接締結して両者の固定を行っている（非特許文献１）。その固定箇所は、グレーチング蓋の角４カ所で行っている。
【非特許文献１】「カワグレーチング総合カタログ」，Ｖｏｌ．２０３，第２１頁，株式会社カワグチ
【発明の開示】
【発明が解決しようとする課題】
【０００４】
しかしながら、グレーチング蓋は、もともと、道路等の雨水を取り込みやすくするためのものであるため、グレーチング間には雨水が流入するための間隙が設けられている。この間隙を通って道路等の地表上の枯れ葉やゴミなどを呑み込んでしまう。その結果、グレーチング蓋のベースプレート（底部とも称する。）の側部に張られている、排水用構築物の受枠上に、これらゴミ等が何時しか蓄積され、よって受枠上のグレーチング間隙が目詰まりを起こし、固定用のボルトがゴミ等に埋もれてしまう。そのため、集水枡等の管理作業を行う際の、ボルトの探し出し作業に大変手間取ると共に、ゴミ等の山積物の除去作業も苦労を要するという問題があった。
【０００５】
そこで、この発明の目的は、ボルトの頭部およびその周辺にゴミなどが山積するのを出来るだけ回避してグレーチング間隙の目詰まりを出来るだけ回避出来るグレーチング蓋固定用スペーサを提供することにある。
【課題を解決するための手段】
【０００６】
この発明の目的の達成を図るため、この発明によるスペーサは、グレーチングとベースプレートとを具えるグレーチング蓋を受枠にボルトで固定するために使用するスペーサであって、構造的に下記の特徴を有する。
【０００７】
すなわち、この発明のスペーサは、円筒状の下部台座と、Ｕ字状（コの字型ともいう。）に成形してなる上部台座と、中心に第１開口が形成されている矩形の天板とを具えている。
【０００８】
上部台座は、矩形状の底部と、２つの矩形状の脚部とを具えている。この底部は、第１開口よりも大きさが小さくかつ下部台座の内径よりも小さい第２開口が形成されている。この第２開口は、第１開口および下部台座と中心軸を一致させて、形成されている。両脚部は、底部の対向する両側部に、そこからそれぞれ個別に突出させて、同一高さで、設けられている。
【０００９】
上部台座は、さらに、底部の下面すなわち裏面であって、第２開口の外周囲の当該下面で下部台座のリング状の、一方の端面と結合されている。
【００１０】
上述の天板は、その下面すなわち裏面が、脚部の端面に結合している。
【００１１】
尚、上述した第１開口、上部台座の内側空間と第２開口、および下部台座の内側空間は、ボルトを取り付ける空間であって、上部台座の底部の、第２開口の外周囲の上面が、直接または座金を介在させた、ボルト頭部の受面となる。
【００１２】
この発明の実施に当たり、好ましくは、第１および第２開口は、それぞれ、円形の貫通孔とし、第２貫通孔（開口）の直径を、ボルトの軸部の外径より大きく、さらに、第１貫通孔（開口）の内径を、ボルトの頭部の外径よりも大きく、さらに、ボルトの頭部と第１貫通孔の内壁面との間隔を、ボルトの取り付けおよび取り外し作業を可能とする最小限の広さに設定してあるのがよい。
【００１３】
この発明のスペーサの実施に当たり、さらに、好ましくは、下部台座の他方の端面から天板の頂面までの高さを、グレーチング蓋のベースプレートの上面すなわち受枠とは反対側の面からグレーチングの上面（グレーチング蓋の表面である。）までの距離に設定してあるのがよい。ベースプレートの上面は、グレーチング蓋を受枠に取り付けたときに、下部台座の他方の端面が当接する面である。
【００１４】
この発明のスペーサの、他の好適実施例によれば、Ｕ字状（コの字型ともいう。）に成形してなる下部台座と、互いに平行な板状体からなる上部台座と、中心に第１開口が形成されている矩形の天板とを具えた構成とするのがよい。
【００１５】
その場合、好ましくは、下部台座は、矩形状の底部と、２つの矩形状の脚部とを具えている。この底部には、第１開口よりも大きさが小さくかつ上部台座の板状体間の間隔よりも小さい第２開口が形成されている。また、２つの脚部は、底部の対向する両側部に、そこから、それぞれ個別に、同一高さで、突出させて設けられている。この下部台座は、さらに、好ましくは、底部の下面であって、第２開口の外周囲の当該下面で板状体の一方の端面と結合されている。また、この天板は、その下面が、板状体の他方の端面に結合している。
【００１６】
この場合にも、上述した第１開口、上部台座の内側空間、および下部台座の第２開口と内側空間は、ボルトを取り付ける空間であって、下部台座の底部の、第２開口の外周囲の上面が、直接または座金を介在させた、ボルト頭部の受面となる。
【００１７】
この発明のスペーサの、さらに他の好適実施例によれば、Ｕ字状（コの字型ともいう。）に成形してなる下部台座と、Ｕ字状（コの字型ともいう。）に成形してなる上部台座と、中心に第１開口が形成されている矩形の天板とを具えた構成とするのがよい。
【００１８】
その場合、上部台座は、矩形状の第１底部と、２つの矩形状の第１脚部とを具えている。この第１底部には、第１開口よりも大きさが小さい第２開口が、第１開口と中心軸を一致させて、形成されている。また、２つの脚部は、第１底部の対向する両側部に、そこから、それぞれ個別に、同一高さに、突出しさせて設けられている。
【００１９】
また、下部台座は、上部台座と同様な構成であって、矩形状の第２底部と、２つの矩形状の第２脚部とを具えている。第２底部には、第１開口よりも大きさが小さくかつ第２開口と大きさが同一かそれより大きい第３開口が、第１および第２開口と中心軸を一致させて、形成されている。また、２つの脚部は、第２底部の対向する両側部に、そこから、それぞれ個別に、同一高さに、突出させて設けられている。
【００２０】
また、上部台座及び下部台座は、第１及び第２底部を背中合わせにして、互いに結合されている。また、天板は、その下面側が、上部台座の第１脚部の端面に結合している。
【００２１】
この発明のスペーサの、さらに他の好適実施例によれば、Ｕ字状（コの字型ともいう。）に成形してなる下部台座と、円筒状の上部台座とを具えている。
【００２２】
その場合、下部台座は、上部台座の内径よりも大きさが小さい第１開口が、上部台座と中心軸を一致させて、形成されている矩形状の底部と、該この底部の対向する両側部からそれぞれ個別に突出している、同一高さの、２つの矩形状の脚部とを具えている。また、下部台座は、その底部の下面であって、第１開口の外周囲の当該下面で上部台座の一方の端面と結合されている。
【発明の効果】
【００２３】
上述した下部台座と、上部台座と、天板とを具える各発明のスペーサによれば、グレーチング蓋のベースプレートの上面から下部台座と上部台座とを積み重ねた高さのところで、ボルト頭部の下端部を位置決めできる。そのため、この発明のスペーサは、従来の、ボルト頭部の下端部をベースプレートの上面で位置決めしていた場合よりも、ボルト頭部をベースプレートの上面からハイポジションで固定でき、ボルト頭部の頂面をグレーチング蓋の上面と同一レベルに、或いはそのレベルに近いレベルに位置決めできる。従って、ボルト頭部にはゴミなどが山積しても、グレーチング蓋の表面あるいはその近傍にボルト頭部があるので、この発明のスペーサを使用しない場合よりも、ボルトの探し出しが著しく容易となる。
【００２４】
さらに、これらのスペーサによれば、ボルト頭部を上部台座と天板とで作られる内側空間内におさめることが出来、或いは、下部台座と、上部台座とを具えるが、天板を具えていない発明のスペーサによれば、上部台座の内側空間内におさめることが出来る。その場合、いずれにしても、ボルト頭部の周囲の空間は、従来のグレーチング上面からボルト頭部までの空間の深さよりも浅い空間であるので、たとえボルト頭部の周辺にゴミ等が付着しても、この発明のスペーサを使用しない場合よりも、確実かつ簡単に、ゴミ等を取り除くことが出来、よって、ボルトの探し出しが容易となる。
【００２５】
また、スペーサを下部台座と、上部台座と、天板とで構成する場合には、グレーチング蓋をボルトで当該スペーサを介在させて受枠に取り付けたとき、スペーサの天板の上面がグレーチング蓋の上面と実質的に同位置（同一レベル）となるように、スペーサの高さを設定しておける。同様に、スペーサを下部台座と、上部台座とで構成する場合には、スペーサの上部台座の上端面がグレーチング蓋の上面と実質的に同位置（同一レベル）となるように、スペーサの高さを設定しておける。従って、グレーチング蓋の種類に応じた高さのスペーサを提供できると共に、グレーチング表面を、段差の少ない表面とすることが出来る。また、天板を備える場合には、ボルトの取り付けおよび取り外し作業に必要な最小限の空隙をボルト頭部と天板の第１開口の内壁面との間に設けるようにボルト頭部の大きさに応じて天板に設ける開口の径を設定しておけば、枯れ葉やゴミ等が、この間隙を介してボルト頭部の周囲へと浸入する量を、より少ない量に、抑制することが出来る。
【００２６】
また、下部台座を円筒状に構成しているスペーサによれば、このスペーサを介在させてボルトでグレーチング蓋を受枠に固定すると、ボルト頭部が、場合によっては平座がねを介して、上部台座の底部の上面であって、第２開口の外周囲の当該上面に圧接し、しかも、下部台座が円筒状の壁となっているので、固定されるボルトの軸部周辺への浸水やゴミ等の流れ込みを、抑制することが出来、その結果、ボルトの腐食等による劣化を、この発明のスペーサを使用しない場合よりも、確実に防ぐことが出来る。
【００２７】
また、ボルト頭部と天板の第２開口の内壁面との間隔を、ボルトの取り付け（締結）および取り外し（開放）作業を妨げない程度の最小間隔すなわちボルト作業が可能な最小限の広さに設定してある構成のスペーサによれば、その広さは、通常、婦人靴の一種であるハイヒールのヒール幅よりも狭く、従って、ヒールがボルトと第２開口の内壁面との間にはまり込む恐れがない。
【００２８】
また、スペーサの高さをベースプレートの上面からグレーチングの上面のまでの距離と設定してある構成のスペーサによれば、ボルト頭部をグレーチング蓋の表面にボルト頭部がゴミ等によって埋もれるのを、この発明のスペーサを使用しない場合よりも、確実に防止することが出来る。
【００２９】
さらに、上部台座および下部台座のいずれか一方又は双方をＵ字形状すなわちコの字型の構造に形成してあるスペーサの場合には、上部台座や下部台座の、Ｕ字状に囲まれた内側を、雨水が自由に流れるので、これら台座の中心を貫いて取り付けられるボルト頭部や軸部周囲のゴミ等が流されるため、ボルト頭部および軸部にゴミ等が付着するのを、この発明のスペーサを使用しない場合よりも、確実に回避出来る。
【００３０】
また、この発明のいずれの構成のスペーサによっても、目詰まりする恐れのある空間は、従来の空間よりも狭い空間であって、しかも、雨水が流れてゴミ等を排斥する構造となっているので、その空間の目詰まりの発生を、この発明のスペーサを使用しない場合よりも、確実に防ぐことが出来る。
【発明を実施するための最良の形態】
【００３１】
以下、図面を参照して、この発明のスペーサの最良の形態につき、詳細に説明する。
尚、図は、この発明の構成が理解できる程度に、各構成要素の大きさ、形状及び配置関係を概略的に示してあるに過ぎない。また、以下説明する実施例は、好適実施例に過ぎず、この発明は、図示の実施例の構成に何ら限定されない。
【実施例】
【００３２】
＜第１実施例＞
図１の（Ａ）、（Ｂ）、（Ｃ）および（Ｄ）は、この発明の第１実施例を説明するための概略的構成図であって、グレーチング蓋固定用スペーサの平面図、正面図、側面図、および底面図である。
【００３３】
図２（Ａ）および２（Ｂ）は、図１に示した構造のスペーサをボルトに介在させてグレーチング蓋を排水溝などの排水用構築物の受枠に固定した状態を説明するための、概略図であって、図２（Ａ）は、部分的平面図、および図２（Ｂ）は、ボルトの部分を除き、図２（Ａ）のＩ−Ｉ線に沿って切って示した部分的断面図である。
【００３４】
この発明の第１実施例によるスペーサ１００は、グレーチング蓋２０を受枠３０にボルト４０で固定するために使用するスペーサである。グレーチング蓋２０は、平面形状が矩形であり、グレーチング２２と、下部の周辺部にベースプレート２４とを具える。
【００３５】
このスペーサ１００は、円筒状の下部台座１１２と、Ｕ字状（コの字型ともいう。）に成形してなる上部台座１１４と、矩形の天板１１６とを具えている。この天板１１６には、中心に第１開口１１６ａが形成されている。これら下部台座、上部台座および天板を金属或いは樹脂で形成するが、好ましくは、加工および溶接が容易な鋼鉄製とするのがよい。
【００３６】
上部台座１１４は、矩形状の底部１１４ａと、２つの矩形状の脚部１１４ｂとを具えている。この底部１１４ａには、第２開口１１４ａａが形成されている。第２開口１１４ａａは、第１開口１１６ａよりも大きさが小さくかつ下部台座１１２の内径よりも小さい。この第２開口１１４ａａは、第１開口１１６ａおよび下部台座１１２と中心軸Ｃ１を一致させてすなわち共通にして、形成されている。両脚部１１４ｂは、底部１１４ａの対向する両側部に、そこからそれぞれ個別に突出させて、同一高さで、設けられている。この場合、好ましくは、２つの脚部１１４ｂを互いに平行となるように設けるのがよい。
【００３７】
尚、上部台座１１４を鋼鉄製とする場合には、好ましくは、一枚の矩形状の、第２開口１１４ａａが形成された板状体を、その両端側を、板状体の面に直交する方向に、同一の高さに、向き合わせて折り曲げて、形成することが出来る。或いはまた、底部と脚部とを個別の部品として用意して、両者を接合して形成しても良い。この上部台座の形成の仕方は、単なる設計事項である。さらに、好ましくは、底部と脚部との繋がっている部分は、その表面を滑らかな曲面として形成して、ゴミ等が角部に残積しないようにしてある。
【００３８】
上部台座１１４は、さらに、底部１１４ａの下面すなわち裏面１１４ａｂであって、第２開口１１４ａａの外周囲の当該下面１１４ａｂで下部台座１１２のリング状の、一方の端面すなわち上端面１１２ｂと結合されている。
【００３９】
上述の天板１１６は、その下面すなわち裏面１１６ｂが、脚部１１４ｂの端面１１４ｂｂに結合している。
【００４０】
これら下部台座１１２，上部台座１１４および天板１１６の結合は、これらを鋼鉄製とする場合には、好ましくは、溶接で行うのがよい。これらを樹脂製とする場合には、適当な溶着技術を用いたり、或いは全部または一部分を押し出し成形などを用いて形成してもよい。
【００４１】
第１および第２開口１１６ａおよび１１４ａａは、それぞれ、円形の貫通孔とする。第２貫通孔（開口）１１４ａａの直径を、ボルト４０の軸部４０ｂの外径より大きくしてある。さらに、第１貫通孔（開口）１１６ａの内径を、ボルト頭部４０ａの外径よりも大きくしてある。さらに、ボルト頭部４０ａと第１貫通孔１１６ａの内壁面１１６ａａとの間隔を、ボルト４０の取り付けおよび取り外し作業を可能とする最小限の広さに設定してあるのがよい。
【００４２】
さらに、好ましくは、スペーサの高さ、すなわち、下部台座１１２の他方の端面１１２ｃから天板１１６の頂面（上面）１１６ｃまでの高さを、グレーチング蓋２０のベースプレート２４の上面２４ｂすなわち受枠３０とは反対側の面からグレーチング２２の上面すなわちグレーチング蓋の表面２２ａまでの距離に設定してあるのがよい。従って、このグレーチング蓋の種類が決まれば、その高さに合わせてスペーサの高さを決めることが出来る。尚、ベースプレート２４の上面２４ｂは、グレーチング蓋２０を受枠３０に取り付けたときに、下部台座１１２の他方の端面すなわち下端面１１２ｃが当接する面である。
【００４３】
この第１実施例のスペーサの寸法は、設計に応じて任意好適な寸法に設定すればよい。一例として、下記に示すが、この寸法に何ら限定されない。
【００４４】
スペーサの高さを５０ｍｍとする。下部台座１１２の高さを３２ｍｍ、外径を４２．７ｍｍ、内径を３６．３ｍｍ、および肉厚を３．２ｍｍとする。上部台座１１４の底部１１４ａを正方形とし、対向する両脚部１１４ｂの外側面間の距離を５０ｍｍ、内側面間の距離を４３．６ｍｍ、高さを１２ｍｍ、第２開口１１４ａａの直径を２５ｍｍ、および底部および脚部の肉厚を３．２ｍｍとする。さらに、正方形の天板１１６の厚みを６ｍｍとし、幅を５０ｍｍとし、および第１開口の直径を４０ｍｍとする。
【００４５】
尚、このスペーサを使用するボルト４０の好適例では、ボルト頭部４０ａの厚みを１０ｍｍ、長径を２７．７ｍｍおよび短径を２４ｍｍとし、軸部４０ｂの長さを６０ｍｍおよび外径を１６ｍｍとする。また、使用するボルトの好適例については、以下の全ての実施例に共通とする。  図２（Ａ）および（Ｂ）を参照して、このスペーサ１００を用いて、ボルト４０を受枠３０に取り付けた状態を説明する。
【００４６】
図２（Ａ）および（Ｂ）において、２６はグレーチング蓋２０の外枠を示す。ボルト４０は、中心軸Ｃ１に沿って、軸部４０ｂを、第２開口１１４ａａ、下部台座１１２の円筒状の壁で囲まれた空間１１２ａ、ベースプレート２４の開口２４ｂおよび受枠３０の開口３０ａを貫いて設けられていて、軸部４０ｂの先端にナットが螺合されている。さらに、図示例では、ボルト４０には、頭部４０ａと上部台座１１４の底部１１４ａとの間に平座がね５０を介在させてある。この座がね５０の厚みは、一例として、３〜５ｍｍとしている。この頭部４０ａは、この上部台座１１４と、天板１１６とによって囲まれた空間におさめられていて、頭部４０ａの頂面が、グレーチング蓋２０の表面と同じレベルか或いはそのレベルよりもやや低いレベルに、位置決めされるようにして設けられている。このボルト頭部４０ａは、座がね５０を介して底部１１４ａに圧接している。ボルト頭部の外径が大きい場合には、座がね５０を使用しなくても、底部１１４ａに圧接させることが出来るので、その場合には、座がね５０を使用しなくてもよい。
【００４７】
上述したボルトによれば、第１開口１１６ａの内壁面１１６ａａとボルト頭部４０ａとの間隙は、８ｍｍと、狭い間隙となり、ハイヒールのヒール先端部がはまり込むのを防ぐことが出来る。
【００４８】
＜第２実施例＞
図３（Ａ）、（Ｂ）、（Ｃ）および（Ｄ）は、この発明の第２実施例を説明するための概略的構成図であって、グレーチング蓋固定用スペーサの平面図、正面図、側面図、および底面図である。
【００４９】
図４（Ａ）および（Ｂ）は、図３に示した構造のスペーサをボルトに介在させてグレーチング蓋を排水溝などの排水用構築物の受枠に固定した状態を説明するための、概略図であって、図４（Ａ）は、部分的平面図、および図４（Ｂ）は、ボルトの部分を除き、図４（Ａ）のＩ−Ｉ線に沿って切って示した部分的断面図である。
【００５０】
この実施例が第１実施例と異なる点は、下部台座および上部台座の構造が異なるのみであり、天板の構造、構成材料、配置関係などは、第１実施例の場合と同じであるので、主として、相違点につき説明する。また、天板については、同一の番号を付して示して説明する。また、このスペーサが適用されるグレーチング蓋および受枠は、第１実施例の場合の構成と同一の構成のものとするので、同一番号を付してある。
【００５１】
この第２実施例のスペーサ２００によれば、下部台座２１２と、上部台座２１４と、天板１１６とを具えた構成となっている。
【００５２】
下部台座２１２は、Ｕ字状（コの字型ともいう。）に成形してなっている。好ましくは、下部台座２１２は、矩形状の底部２１２ａと、２つの矩形状の脚部２１２ｂとを具えている。この底部２１２ａには、第１開口１１６ａよりも大きさが小さくかつ上部台座２１４の、後述する２つの板状体２１４ａ間の間隔よりも小さい第２開口２１２ａａが形成されている。また、２つの脚部２１２ｂは、底部２１２ａの対向する両側部に、そこから、それぞれ個別に、同一高さで、突出させて設けられている。この場合、好ましくは、２つの脚部を互いに平行となるように設けるのがよい。この下部台座２１２は、さらに、好ましくは、底部２１２ａの上面であって、第２開口２１２ａａの外周囲の当該上面２１２ａｃで板状体２１４ａの一方の端面すなわち下端面２１４ｂと結合されている。
【００５３】
上部台座２１４は、互いに平行な板状体２１４ａで構成してある。
【００５４】
また、天板１１６は、その下面１１６ｂが、板状体２１４ａの他方の端面すなわち上端面２１４ｃに結合している。
【００５５】
尚、下部台座２１２を鋼鉄製とする場合には、好ましくは、一枚の矩形状の、第２開口２１２ａａが形成された板状体を、その両端側を、板状体の面に直交する方向に、同一の高さに、向き合わせて折り曲げて、形成することが出来る。或いはまた、底部と脚部とを個別の部品として用意して、両者を接合して形成しても良い。この上部台座の形成の仕方は、単なる設計事項である。さらに、好ましくは、底部と脚部との繋がっている部分は、下部台座の内側表面を滑らかな曲面として形成して、ゴム等が角部に残積しないようにしてある。
【００５６】
上述の天板１１６は、その下面すなわち裏面１１６ｂが、板状体２１４ａの上端面２１４ｃに結合している。
【００５７】
これら下部台座２１２，上部台座２１４および天板１１６の結合は、これらを鉄鋼製とする場合には、好ましくは、溶接で行うのがよい。これらを樹脂製とする場合には、適当な溶着技術を用いたり、或いは全部または一部分を押し出し成形などを用いて形成してもよい。
【００５８】
第１および第２開口１１６ａおよび２１２ａａは、それぞれ、円形の貫通孔とする。第２貫通孔（開口）２１２ａａの直径を、ボルト４０の軸部４０ｂの外径より大きくしてある。さらに、第１貫通孔（開口）１１６ａの内径を、ボルト頭部４０ａの外径よりも大きくしてある。さらに、ボルト頭部４０ａと第１貫通孔１１６ａの内壁面１１６ａａとの間隔を、ボルト４０の取り付けおよび取り外し作業を可能とする最小限の広さに設定してあるのがよい。
【００５９】
さらに、好ましくは、スペーサの高さ、すなわち、下部台座２１２の脚部２１２ｂの端面２１２ｂａから天板１１６の頂面（上面）１１６ｃまでの高さを、グレーチング蓋２０のベースプレート２４の上面２４ｂすなわち受枠３０とは反対側の面からグレーチング２２の上面すなわちグレーチング蓋の表面２２ａまでの距離に設定してあるのがよい。従って、この構成例の場合にも、このグレーチング蓋の種類が決まれば、その高さに合わせてスペーサの高さを決めることが出来る。尚、ベースプレート２４の上面２４ｂは、グレーチング蓋２０を受枠３０に取り付けたときに、下部台座２１２の端面２１２ｂａが当接する面である。
【００６０】
この第２実施例のスペーサの寸法は、設計に応じて任意好適な寸法に設定すればよい。一例として、下記に示すが、この寸法に何ら限定されない。
【００６１】
スペーサの高さを５０ｍｍとする。下部台座２１２の底部２１２ａを正方形とし、下部台座２１２の高さを３５ｍｍ、外寸を５０ｍｍ、内寸を３８ｍｍ、および底部および脚部の肉厚を６ｍｍ、および第２開口２１２ａａの直径を２５ｍｍとする。上部台座２１４の対向する板状体２１４ａの外側面間の距離（外寸）を５０ｍｍ、内側面間の距離（内寸）を４３．６ｍｍ、高さを９ｍｍとする。さらに、正方形の天板１１６の厚みを６ｍｍとし、幅を５０ｍｍとし、および第１開口１１６ａの直径を４０ｍｍとする。
【００６２】
図４（Ａ）および（Ｂ）を参照して、このスペーサ１０を用いて、ボルト４０を受枠３０に取り付けた状態を説明する。
【００６３】
図４（Ａ）および（Ｂ）において、ボルト４０は、中心軸Ｃ１に沿って、軸部４０ｂを、第２開口２１２ａａ、下部台座２１２の、平行な脚部２１２ｂの壁で挟まれた空間２１２ｃ、ベースプレート２４の開口２４ａおよび受枠３０の開口３０ａを貫いて設けられていて、軸部４０ｂの先端にナットが螺合されている。さらに、図示例では、ボルト４０には、頭部４０ａと、上部台座２１４の平行な板状体２１４ａとの間に平座がね５０を介在させてある。この頭部４０ａは、この上部台座２１４と、天板１１６とによって囲まれた空間におさめられていて、頭部４０ａの頂面が、グレーチング蓋２０の表面２２ａと同じレベルか或いはそのレベルよりもやや低いレベルに、位置決めされるようにして設けられている。このボルト頭部４０ａは、座がね５０を介して下部台座２１２の底部２１２ａに圧接している。ボルト頭部の外径が大きい場合には、座がね５０を使用しなくても、底部２１２ａに圧接させることが出来るので、その場合には、座がね５０を使用しなくてもよい。
【００６４】
この場合にも、上述したボルトによれば、第１開口１１６ａの内壁面１１６ａａとボルト頭部との間隙は、８ｍｍと、狭い間隙となり、ハイヒールのヒール先端部がはまり込むのを防ぐことが出来る。
【００６５】
尚、第２実施例において、上部台座と下部台座の重ね合わせの向きは、図示の向きの位置から上部または下部台座を９０度回転させた向きに設定してもよい。
【００６６】
＜第３実施例＞
図５（Ａ）、（Ｂ）、（Ｃ）および（Ｄ）は、この発明の第３実施例を説明するための概略的構成図であって、グレーチング蓋固定用スペーサの平面図、正面図、側面図、および底面図である。
【００６７】
図６（Ａ）および（Ｂ）は、図５に示した構造のスペーサをボルトに介在させてグレーチング蓋を排水溝などの排水用構築物の受枠に固定した状態を説明するための、概略図であって、図６（Ａ）は、部分的平面図、および図６（Ｂ）は、ボルトの部分を除き、図５（Ａ）のＩ−Ｉ線に沿って切って示した部分的断面図である。
【００６８】
この第３実施例が第１実施例と異なる点は、下部台座の構造が異なるのみであり、また、第２実施例と異なる点は、上部台座の構造が異なるのみであって、天板の構造、構成材料、配置関係などは、第１および第２実施例の場合と同じである。
【００６９】
従って、第３実施例のスペーサの構造は、基本的には、第１実施例のスペーサの下部台座を第２実施例のスペーサの下部台座で置き換えた構成となっている。
【００７０】
また、天板については、同一の番号を付して示して説明する。また、このスペーサが適用されるグレーチング蓋は、第１実施例の場合の構成と同一の構成のものとするので、同一番号を付してある。
【００７１】
この第３実施例のスペーサ３００によれば、下部台座３１２と、上部台座３１４と、天板１１６とを具えた構成となっている。上部台座３１４は、第１実施例の上部台座１１４と同様な構成であり、また、下部台座３１４は、第２実施例の下部台座２１２と同様な構成であるので、それぞれの詳細な説明は省略し、相違点のみを簡単に説明する。
【００７２】
また、第１実施例の上部台座１１４の構成部分と第３実施例の上部台座３１４の構成部分との対応関係は次の通りである。
【００７３】
底部１１４ａは第１底部３１４ａに、脚部１１４ｂは第１脚部３１４ｂに、第２開口１１４ａａは第２開口３１４ａａに、底部の上面１１４ａｃは第１底部の上面３１４ａｃに、脚部の端面１１４ｂｂは第１脚部の端面３１４ｂｂにそれぞれ対応している。
【００７４】
また、第２実施例の下部台座２１２の構成部分と第３実施例の下部台座３２２の構成部分との対応関係は次の通りである。
【００７５】
底部２１２ａは第２底部３１２ａに；脚部２１２ｂは第２脚部３１2ｂに；第２開口２１２ａａは第３開口３１２ａａに；底部の上面２１２ａｃは第２底部の上面３１２ａｃに；脚部の端面２１２ｂａは第２脚部の端面３１２ｂａに；空間２１２ｃは空間３１２ｃにそれぞれ対応している。
【００７６】
尚、第３実施例によるスペーサ３００の上部台座３１４は、第１実施例の上部台座１１４と同様な構成であるが、大きさ（寸法）および外表面の角が曲面ではなくて角張っている点が多少異なっている。
【００７７】
上部台座３１４及び下部台座３１２は、第１及び第２底部３１４ａおよび３１２ａを背中合わせにして、すなわち第１底部３１４ａの下面３１４ａｂと第２底部３１２ａの上面３１２ａｃとが、互いに結合されている。また、天板１１６は、その下面１１６ｂが、上部台座の第１脚部の端面３１４ｂｂに結合している。
【００７８】
図６（Ａ）および（Ｂ）に示す図は、同様に、スペーサ自体が第１および第２実施例のスペーサ１００および２００の代わりに、スペーサ３００で置き換えたに過ぎず、第１および第２実施例で説明したボルトの取り付け状態を説明する図と実質的に変わらないので、その詳細な説明は省略する。
【００７９】
尚、第３実施例において、上部台座と下部台座の重ね合わせの向きは、図示の向きの位置から上部または下部台座を９０度回転させた向きに設定してもよい。
【００８０】
＜第４実施例＞
図７（Ａ）、（Ｂ）、（Ｃ）および（Ｄ）は、この発明の第４実施例を説明するための概略的構成図であって、グレーチング蓋固定用スペーサの平面図、正面図、側面図、および底面図である。
【００８１】
図８（Ａ）および（Ｂ）は、図７に示した構造のスペーサをボルトに介在させてグレーチング蓋を排水溝などの排水用構築物の受枠に固定した状態を説明するための、概略図であって、図８（Ａ）は、部分的平面図、および図８（Ｂ）は、ボルトの部分を除き、図８（Ａ）のＩ−Ｉ線に沿って切って示した部分的断面図である。
【００８２】
この第４実施例は、下部台座の構造は、第２および第３実施例のスペーサの下部台座と同一であるが、第２および第３実施例と異なる点は、それらの上部台座および天板の代わりに、第１実施例の下部台座として使用している、円筒状の下部台座を上部台座として設けて、天板を用いていない構造とした点が異なる。これら上部および下部台座の構成材料は、第１、第２および第３実施例の場合と同じである。
【００８３】
従って、第４実施例のスペーサの構造は、基本的には、第２または第３実施例におけるスペーサの下部台座２１２または３１２の上に、第１実施例のスペーサの下部台座１１２を互いに中心軸を一致させて（共通にして）重ねた構造となっている。
【００８４】
この第４実施例のスペーサ４００によれば、下部台座４１２と、上部台座４１４とを具えた構成となっている。上部台座４１４は、第１実施例の下部台座１１２と同様な構成であり、また、下部台座４１２は、第２実施例の下部台座２１２と同様な構成であるので、それぞれの詳細な説明は省略し、相違点のみを簡単に説明する。
【００８５】
従って、この第４実施例のスペーサ４００によれば、Ｕ字状（コの字型ともいう。）に成形してなる下部台座４１２と、円筒状の上部台座４１４とを具えている。
【００８６】
第１実施例の下部台座１１２の構成部分と第４実施例の上部台座４１４の構成部分との対応関係は次の通りである。
【００８７】
空間１１２ａは空間４１４ａに対応し、下部台座１１２のリング状の上端面１１２ｂは上部台座４１４のリング状の上端面４１４ｂに対応し、下部台座１１２のリング状の下端面１１２ｃは上部台座４１４のリング状の下端面４１４ｃにそれぞれ対応している。
【００８８】
また、第２実施例の下部台座２１２の構成部分と第４実施例の下部台座４１２の構成部分との対応関係は次の通りである。
【００８９】
底部２１２ａは底部４１２ａに対応し、脚部２１２ｂは脚部４１2ｂに対応し、第２開口２１２ａａは開口４１２ａａに対応し、底部の上面２１２ａｃは底部の上面４１２ａｃに対応し、脚部の端面２１２ｂａは脚部の端面４１２ｂａに対応し、空間２１２ｃは空間４１２ｃにそれぞれ対応している。
【００９０】
このような構成において、上部台座４１４と下部台座４１２とは、上部台座４１４のリング状の下端面４１４ｃが下部台座４１２の、開口４１２ａａの外周囲の上面４１２ａｃに接合されて一体的に構成されている。
【００９１】
この第４実施例のスペーサ４００の寸法は、設計に応じて任意好適な寸法に設定すればよい。一例として、下記に示すが、この寸法に何ら限定されない。
【００９２】
スペーサの高さを５０ｍｍとする。下部台座４１２の高さを３５ｍｍ、正方形の外寸を５０ｍｍ、内寸を３８ｍｍ、開口４１２ａａの径を２５ｍｍおよび底部および脚部の肉厚を６ｍｍとする。上部台座４１４の外径を４８．６ｍｍ、内径を４１．６ｍｍ、高さを１５ｍｍ、および肉厚を３．５ｍｍとする。
【００９３】
図８（Ａ）および図８（Ｂ）に示す図は、同様に、スペーサ自体が第１、第２および第３実施例のスペーサ１００、２００および３００の代わりに、スペーサ４００で置き換えたに過ぎず、第１、第２および第３実施例で説明したボルトでグレーチング蓋をベースプレートに取り付けた状態を説明する図と実質的に変わらないので、その詳細な説明は省略する。但し、この第４実施例のスペーサの場合には、ボルト頭部４０ａは、上部台座４１４の円筒状の壁に囲まれた空間４１４ａ内におさまっている。さらに、この上部台座の上面４１２ｂが、グレーチング蓋の表面２２ａと同一レベルになるようにスペーサの高さが設定されて、スペーサ４００が形成されている。
【００９４】
この実施例の場合には、上述した第１から第３の実施例の場合と同様なボルトを使用したとすると、上部台座４１４の円筒状内壁面とボルト頭部との間隙は、８．８ｍｍと、狭い間隙となり、ハイヒールのヒール先端部がはまり込むのを防ぐことが出来る。
【００９５】
尚、上述した各実施例のスペーサの各部分の寸法は、設計に応じて任意に設定できる。例えば、それぞれのスペーサの下部台座の長さを変えることによって、スペーサの全長を設計に応じた任意好適な長さとすることが出来る、例えば、好ましくは、５０〜５５ｍｍの間の値とするのがよい。。
【図面の簡単な説明】
【００９６】
【図１】（Ａ）〜（Ｄ）は、この発明の第１実施例を説明するための、グレーチング蓋固定用スペーサの平面図、正面図、側面図、および底面図である。
【図２】図１に示した構造のスペーサをボルトに介在させてグレーチング蓋を排水溝などの排水用構築物の受枠に固定した状態を説明するための、概略図であって、（Ａ）は、部分的平面図、および（Ｂ）は、ボルトの部分を除き、（Ａ）のＩ−Ｉ線に沿って切って示した部分的断面図である。
【図３】（Ａ）〜（Ｄ）は、この発明の第２実施例を説明するための、グレーチング蓋固定用スペーサの平面図、正面図、側面図、および底面図である。
【図４】図３に示した構造のスペーサをボルトに介在させてグレーチング蓋を排水溝などの排水用構築物の受枠に固定した状態を説明するための、概略図であって、（Ａ）は、部分的平面図、（Ｂ）は、ボルトの部分を除き、（Ａ）のＩ−Ｉ線に沿って切って示した部分的断面図である。
【図５】（Ａ）〜（Ｄ）は、この発明の第３実施例を説明するための、グレーチング蓋固定用スペーサの平面図、正面図、側面図、および底面図である。
【図６】図５に示した構造のスペーサをボルトに介在させてグレーチング蓋を排水溝などの排水用構築物の受枠に固定した状態を説明するための概略図であって、（Ａ）は、部分的平面図、（Ｂ）は、ボルトの部分を除き、（Ａ）のＩ−Ｉ線に沿って切って示した部分的断面図である。
【図７】（Ａ）〜（Ｄ）は、この発明の第４実施例を説明するための概略的構成図であって、グレーチング蓋固定用スペーサの平面図、正面図、側面図、および底面図である。
【図８】図７に示した構造のスペーサをボルトに介在させてグレーチング蓋を排水溝などの排水用構築物の受枠に固定した状態を説明するための、概略図であって、（Ａ）は、部分的平面図、（Ｂ）は、ボルトの部分を除き、（Ａ）のＩ−Ｉ線に沿って切って示した部分的断面図である。
【符号の説明】
【００９７】
２０：グレーチング蓋
２２：グレーチング
２２ａ：グレーチングおよびグレーチング蓋の表面
２４：ベースプレート
２４ａ：（ベースプレートの）開口
２４ｂ：（ベースプレートの）上面
２６：（グレーチング蓋の）外枠
３０：受枠
４０：ボルト
４０ａ：ボルト頭部
４０ｂ：軸部
５０：座がね
Ｃ１：中心軸
１００，２００，３００，４００：スペーサ
１１２，２１２，３１２，４１２：下部台座
１１２ａ、２１２ｃ、３１２ｃ、４１２ｃ，４１４ａ：空間
１１２ｂ：（下部台座の）上端面
１１２ｃ：（下部台座の）下端面
１１４，２１４，３１４，４１４：上部台座
１１４ａ，２１２ａ：底部
１１４ａａ：（底部の）第２開口
１１４ａｂ：（底部の）下面（裏面）
１１４ｂ，２１２ｂ：脚部
１１４ｂｂ：（脚部の）端面
１１６：天板
１１６ａ：（天板の）第１開口
１１６ｂ：（天板の）下面（裏面）
１１６ｃ：（天板の）頂面（上面）
１１６ａａ：（天板の第１開口の）内壁面
２１２ａａ：（下部台座の底部の）第２開口
２１２ａｃ：（下部台座の）上面
２１４ａ：（上部台座の）板状体
２１４ｂ：（板状体の）下端面
２１４ｃ：（板状体の）上端面
３１２ａ：第２底部
３１２ｂ：第２脚部
３１２ａａ：（第２底部の）第３開口
３１２ａｃ：（第２底部の）上面
３１２ｂａ：（第２脚部の）端面
３１４ａ：第１底部
３１４ｂ：第１脚部
３１４ａａ：（第１底部の）第２開口
３１４ａｂ：（第１底部の）下面
３１４ａｃ：（第１底部の）上面
３１４ｂｂ：（第１脚部の）端面
４１２ａ：（下部台座４１２の）底部
４１２ｂ：（下部台座４１２の）脚部
４１２ａａ：（底部４１２ａの）開口
４１２ａｃ：（底部４１２ａの）上面
４１２ｂａ：（脚部４１２ｂの）端面
４１４ｂ：（上部台座４１４の）上端面
４１４ｃ：（上部台座４１４の）下端面
【図１】
2006009326.tif 000003
【図２】
2006009326.tif 000004
【図３】
2006009326.tif 000005
【図４】
2006009326.tif 000006
【図５】
2006009326.tif 000007
【図６】
2006009326.tif 000008
【図７】
2006009326.tif 000009
【図８】
2006009326.tif 000010